【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
特にインクジェットプリントによるセキュリティエレメント、特に光学的に可変のセキュリティエレメントの刷り重ね性を向上させるための吸収媒体であって、
バインダーと、
少なくとも１つの顔料と、
特に水性溶媒と、
を含む、ことを特徴とする吸収媒体。
【請求項２】
前記バインダーは、ポリビニルアルコールを含み、
好ましくは、前記ポリビニルアルコールは、１００ｋｇ／ｍｏｌ〜２００ｋｇ／ｍｏｌ、好ましくは、１２０ｋｇ／ｍｏｌ〜１５０ｋｇ／ｍｏｌ、特に好ましくは、１３０ｋｇ／ｍｏｌの分子量を有し、及び／又は、
好ましくは、前記ポリビニルアルコールの加水分解度は、７４％〜９８％であり、特に好ましくは、８８％であり、及び／又は、
好ましくは、前記ポリビニルアルコールは、特にカチオン変性及び／又はシラノールによる変性によって変性される、ことを特徴とする請求項１に記載の吸収媒体。
【請求項３】
前記バインダーは、デンプン、特にカチオン変性デンプンを含み、及び／又は、
前記バインダーは、ゼラチン、特に、Ｆｅ２＋、Ｃｒ３＋、Ｐｂ２＋、Ｃａ２＋、Ａｌ３＋からなる群から選択される少なくとも１つの金属塩によって架橋されたゼラチンを含み、及び／又は、
前記バインダーは、特に、ホウ酸、酸化ホウ素、エピクロロヒドリン、グリオキサール、メラミン−ホルムアルデヒド架橋剤、アジリジン、及び／又は、Ｃｒ３＋、Ｚｎ２＋、Ｃａ２＋、Ａｌ３＋からなる群から選択される金属塩によって架橋されている、ことを特徴とする請求項１又は２に記載の吸収媒体。
【請求項４】
前記顔料は、鉱物顔料、特に、ヒュームドシリカ、ヒュームドアルミナ又はヒュームドアルミニウム混合酸化物であり、及び／又は、
前記顔料は、５０ｍ２／ｇ〜３８０ｍ２／ｇ、好ましくは、５０ｍ２／ｇ〜２００ｍ２／ｇの比表面積を有し、及び／又は、
前記顔料は、７ｎｍ〜４０ｎｍの粒径を有する、ことを特徴とする請求項１〜３のいずれかに記載の吸収媒体。
【請求項５】
前記顔料の粒径分布は二峰性であり、前記顔料の粒径が５ｎｍ〜１０ｎｍ、好ましくは、７ｎｍである第１の最大値と、前記顔料の粒径が３５ｎｍ〜４５ｎｍ、好ましくは、４０ｎｍである第２の最大値と、を有する、ことを特徴とする請求項１〜４のいずれかに記載の吸収媒体。
【請求項６】
前記吸収媒体は、ポリジアリルジメチルアンモニウムクロライド、ポリエチレンイミン、第４級アンモニウム化合物、Ａｌ塩からなる群から選択される少なくとも１つのカチオン性添加剤を含む、ことを特徴とする請求項１〜５のいずれかに記載の吸収媒体。
【請求項７】
前記バインダーの重量割合は、２重量％〜１０重量％であり、好ましくは、３重量％〜６重量％であり、及び／又は、
前記顔料の重量割合は、１０重量％〜２０重量％であり、好ましくは、１２重量％〜１６重量％であり、及び／又は、
前記架橋剤の重量割合は、０．１重量％〜１重量％であり、好ましくは、０．２〜０．８重量％である、ことを特徴とする請求項１〜６のいずれかに記載の吸収媒体。
【請求項８】
基材に吸収層を転写するための転写フィルムであって、
キャリアプライと、
請求項１〜７のいずれかに記載の吸収媒体から形成された少なくとも部分的な吸収層と、
を含むことを特徴とする、転写フィルム。
【請求項９】
前記吸収層の層厚は、３μｍ〜５０μｍであり、好ましくは、５μｍ〜２５μｍであり、及び／又は、
前記キャリアプライは、特にＰＥＴ製のキャリアフィルムを含み、６μｍ〜７５μｍ、好ましくは、１０μｍ〜３６μｍの層厚を有し、及び／又は、
前記キャリアプライは、構造層、特に、ＵＶ架橋ワニス又は熱可塑性可変層から形成されるか、あるいは０．５μｍ〜１０μｍ、好ましくは、１μｍ〜５μｍの層厚を有する堆積プリントからなり、
好ましくは、前記構造層は、吸収層が堆積する表面に、触覚的に認識可能なレリーフ構造及び／又は光学的に認識可能なレリーフ構造及び／又は汚れ回避性のレリーフ構造を有する、ことを特徴とする請求項８に記載の転写フィルム。
【請求項１０】
インクジェットプリントにより個人化を行うためのセキュリティエレメントであって、請求項１〜７のいずれかに記載の吸収媒体から形成される少なくとも部分的な吸収層を含み、好ましくは、
前記セキュリティエレメントは、
キャリアプライ、
剥離層、
保護層、
複製層、
反射層、
カラーワニス層、
接着層、
のうち一つ又は複数の層を含む、セキュリティエレメント。
【請求項１１】
セキュリティエレメントを個人化する方法であって、
セキュリティエレメントを提供するステップと、
前記セキュリティエレメントを基材に適用するステップと、
請求項１〜７のいずれかに記載の吸収媒体から形成される少なくとも部分的な吸収層を前記セキュリティエレメントに適用するステップと、
前記吸収層に、特にインクジェットプリントによって、個人化機能部を適用するステップと、
を含む、ことを特徴とする方法。
【請求項１２】
前記吸収層は、前記セキュリティエレメントの適用後に前記基材に適用され、
好ましくは、前記吸収層は、前記セキュリティエレメントの少なくとも１つのエッジと重なり、部分領域を有して前記基材上に延在しており、あるいは、
前記吸収層は、前記セキュリティエレメントを前記基材に適用する前に前記セキュリティエレメントに適用される、ことを特徴とする請求項１１のいずれかに記載の方法。
【請求項１３】
前記吸収層は、請求項８又は９に記載の転写フィルムのホットエンボス加工により適用され、及び／又は、
前記吸収層及び／又はセキュリティエレメントは、補助キャリア上に転写され、適用前に所定の形状に打ち抜かれる、ことを特徴とする請求項１１又は１２に記載の方法。
【請求項１４】
前記吸収層を前記セキュリティ機能部に適用する前に、特に、オフセット印刷又は凹版印刷によりさらなるプリント層が適用され、及び／又は、
前記個人化機能部の適用前に、セキュリティ特徴部が、特に、蛍光インジケータプリントインク、及び／又はＵＶ活性インジケータプリントインキ、及び／又は水の影響下及び／又は溶媒の影響下でにじむインジケータプリントインキを用いて、前記吸収層にプリントされる、ことを特徴とする請求項１１〜１３のいずれかに記載の方法。
【請求項１５】
請求項１１〜１４のいずれかに記載の方法を用いて得られるセキュリティ文書であって、
前記セキュリティ文書は、ビザ、身分証明書、パスポート、運転免許証、車両登録文書、クレジットカード、紙幣、証券等として形成される、ことを特徴とするセキュリティ文書。
【手続補正２】
【補正対象書類名】明細書
【補正対象項目名】００５６
【補正方法】変更
【補正の内容】
【００５６】
さらに、キャリアプライが、構造層、特に、ＵＶ架橋ワニス又は熱可塑性可変層から形成されるか、あるいは０．５μｍ〜１０μｍの層厚、好ましくは、１μｍ〜５μｍの層厚を有する堆積プリントからなることが有益である。
【手続補正３】
【補正対象書類名】明細書
【補正対象項目名】０１１１
【補正方法】変更
【補正の内容】
【０１１１】
【図１】図１は、個人化されたセキュリティエレメントを有するセキュリティ文書の例示的な実施例を示す概略上面図である。
【図２】図２は、図１によるセキュリティ文書の製造に用いられるセキュリティエレメントの例示的な実施例を示す概略断面図である。
【図３】図３（Ａ）〜（Ｃ）は、印刷適性を改善するための吸収層を有する転写フィルムの例示的な実施例を示す概略断面図である。
【図４】図４は、図３の転写フィルムの詳細な概略図である。
【図５】図５は、構造的な表面を備えた吸収層を有する他の転写フィルムを示す詳細な概略図である。
【図６】図６は、セキュリティエレメント及び吸収層を有するセキュリティ文書の例示的な実施例を示す概略断面図である。
【図７】図７は、キュリティエレメント及び吸収層を有するセキュリティ文書の他の実施例示す概略断面図である。
【図８】図８は、一体化された吸収層を有するセキュリティエレメントの例示的な実施例を示す概略断面図である。
【図９】図９は、基材に適用された後の図８によるセキュリティエレメント概略断面図である。
【図１０】図１０は、補助キャリアに適用された後の図８によるセキュリティエレメントの概略断面図である。
【図１１】図１１は、図４の転写フィルムを用いた、一体化された吸収層を有するセキュリティエレメントの製造ステップを示す概略断面図である。
【図１２】図１２は、２つの接着層を有するセキュリティエレメント及び図４の転写フィルムを用いた、セキュリティ文書の製造ステップを示す概略断面図である。
【手続補正４】
【補正対象書類名】明細書
【補正対象項目名】０１１４
【補正方法】変更
【補正の内容】
【０１１４】
さらなるプリント層（オフセット、凹版等）は図示省略されている。プリント層は、セキュリティエレメント２の適用前及び／又は適用後に適用される。これらのプリント層は、同様に、少なくとも部分的に個別に設計され、例えば、文書番号を示す。このようなプリント層は、例えば、ナンバリング装置により適用される。
【手続補正５】
【補正対象書類名】明細書
【補正対象項目名】０１２６
【補正方法】変更
【補正の内容】
【０１２６】
個人化機能部３について信頼性のあるプロセスを適用可能とするために、少なくともセキュリティエレメント２及び／又は基材１１上の領域に吸収層が適用される。
【手続補正６】
【補正対象書類名】明細書
【補正対象項目名】０１３２
【補正方法】変更
【補正の内容】
【０１３２】
このような剥離層４１２は、吸収層４２１を基材１１及び／又はセキュリティエレメント２上に転写した後、例えば、ホットエンボス加工後、キャリアプライ４１を取り除くことを容易にする。剥離層４１２は、取り除かれたキャリアプライ４１上に有利に残存する。
【手続補正７】
【補正対象書類名】明細書
【補正対象項目名】０１４８
【補正方法】変更
【補正の内容】
【０１４８】
バインダーの重量割合が、２重量％〜１０重量％であり、好ましくは、３重量％〜６重量％であることがさらに好ましい。
【手続補正８】
【補正対象書類名】明細書
【補正対象項目名】０１４９
【補正方法】変更
【補正の内容】
【０１４９】
さらに、顔料の重量割合が、１０重量％〜２０重量％であり、好ましくは、１２重量％〜１６重量％であることが好適である。
【手続補正９】
【補正対象書類名】明細書
【補正対象項目名】０１５１
【補正方法】変更
【補正の内容】
【０１５１】
さらに、有利には、架橋剤の重量割合は、０．１重量％〜１．０重量％であり、好ましくは、０．２重量％〜０．８重量％である。
【手続補正１０】
【補正対象書類名】明細書
【補正対象項目名】０１５７
【補正方法】変更
【補正の内容】
【０１５７】
図５は、転写フィルム４の他の実施例を示している。本実施例は、キャリアプライ４１が付加的な構造層４１３を含んでいる点において、図３に示す実施例と異なっている。なお、他の層については同一である。剥離層４１２は図示省略する。